(57)【要約】      （修正有）【課題】パンツおよびブリーフや自動車シートをストレッチ機能と立体形機能性に富む、１枚布で伸縮性を維持した裁断方法を提供する。【解決手段】左バイアス糸と布地の反対が右バイアス糸と布地のダーツカット部左下角Ｒ４を右バイアス布片を明かにするダーツカットで削除で表すＸ次に左バイアスも右下部Ｌ５をダーツカット削除で両方が合体した削除部をＸにすると第１ダーツ縫い合せが完了の印から、パンツを１枚布地で製造する場合前身９でＸダーツ完了し下渕中央の両脇部にＭ字形のＷダーツ（つまり２ヶダーツ）を形成し次にパンツ後身１０と合体縫い合せは後身１０′で伸ばしてから前身９下部Ｍ字形と合体縫い合せ部によって前身頃９の中央部に立体凸山部１３出現で人類で始めて立体１枚布パンツを製造出来る布地の製造法。【選択図】図１
2008150765.tif 000002
【特許請求の範囲】
【請求項１】
Ｓｔｒｅｔｃｈａｂｌｅ  ＣＬＯＴＨＳ（ストレッチ出来る布地）を山片凸形で機能を発生させる方法と布地を人口的に凸部山型３Ｄ立体的に形成する布地を製造する方法と次に凹部を谷型３Ｄ立体に形成を形くずれを起さない、ストレッチ性と山型部と谷型を同時に形成する布地を製造する方法であって、図１（ａ）右布バイアスＲ７と図１（ｂ）左布バイアスＬ７の空白ｘをダーツカット部Ｒ８（左）Ｌ８（右）で凸型と凹部前身９立体の布地裁断方法はＫｎｉｔ布、プラスチック布、皮布、ポリウレタン糸布（高分糸センイＳ形左と逆Ｓ形右形）、糸布の中央部の左ダーツＲ８と左ダーツを同時カット裁断ｘした  図２（ａ）パンツ前身下部両ダーツを第１縫い合せるｘはバイヤスＲ７とバイアスＬ７の両側１１縫い上るとＭ字形谷凹み１２形成し次に図２（ｂ）の後身１０の突先１０′股下後身を左〜右に引伸ばし部１０′と先の前身股下Ｍ形部１２のＷダーツを合体縫い合せ図２（ｅ）で前身９と後身１０は、合体部１２は谷片部Ｍ形成されると同時に山片凸部１３が突如出現する布地の立体的に形成させる布地の製造と裁断方法で伸張を必要とする衣類やシート布、特に機能性の伸縮力を有する自動車シート、パンツ布地の製造方法裁断工程、とからなることを特徴とする裁断方法。
【請求項２】
ストレッチ出来る布地（Ｓｔｒｅｔｃｈａｂｌｅ  ＣＬＯＴＨＳ）谷片凹部１２を左バイアス（図１）（ａ）〜（ｅ）右バイアス（図１）（ｂ）〜（ｆ）布地を伸縮性支持部材としその伸縮性を受留る部材が縦地又は横地布を主布地として谷片凹部を形成する方法を自動車座席シートで図６（ｆ）はバイアス左部材布とバイアス右部材布を縫い合せ合体後中央Ｖダーツ分量カット切り落し（黒部）と左と右渕にもＶカットで合計３ヶ所の方法で裁断した両左〜右支持部縫合せ後３ヶ所カット部材が主布地（縦又は横地布）で強引に縫い合されると図６（ｇ）出来上り図でＹ字形に変形縫いで変ると３方ダーツ引力で、布地はストレッチ出来る布地体となり、例え皴が出来る皮皴でも皴が出ない、又Ｋｎｉｔ編地でも伸びたるみが出ない。布帛も同様の３ヶ所ダーツカット裁断でストレッチ出来る谷部（底）衣類及び自動車シートを形成する工程の裁断方法。
【請求項３】
布地の縫製部を少なくして短パンツ及ロングパンツを立体的に製造する、ストレッチ出来る布地機能を有するシームレスパンツ及び１枚裁断布で長パンツを製造方法であって図３（ａ）〜（ｂ）の輪裁ちシームレス短パンツ、下記長パンツ１枚裁断による出来上り図は図４及び図５長パンツの実物写真が、１カット裁断１〜２枚布方法で縫い合せることを特徴とする請求項１〜２いずれかに記載の裁断方法の布地。
【発明の詳細な説明】
【技術の分野】
【０００１】本発明は伸縮性バネで立体形をバイアス左とバイアス右バネで作り出す方法で一枚布で作れるシームレスでも作れる山形凸部谷形凹部を有する布地の裁断方法に関する。
【背景技術】
【０００２】従来、例えば米国特許６８００１５９Ｂ２号や特願２０００−４００１２０号に開示されているように、請求項１、縦横９０度で織られた布帛布地を４５〜５５度裁断正方形布地として左〜右裁断バイアス部と右〜左裁断バイアス部として区別して伸縮性一方向した…裁断した平面布地。
【発明が解決しようとする課題】
【０００３】布地をバイアスで裁断は布地を多く使うわけは正方形布地から左裁断右裁断で２枚の布地が必要となり、不必要部分が図１（ａ）〜（ｈ）Ｒ８〜Ｌ８の空白部分の空地が出来るからである、その空白部分を有功利用をする方法でダーツ部分を活用で空白利用図３（ｂ）長パンツ前部にスペード形空白部Ｚを前身左から右に反転空白Ｚは布帛布地もＫｎｉｔ編地も正方形の反転バイアスは正方形布地の斜め線をｌｅｆｔ（Ｒ７）左バイアスで図２（ａ）Ｒｉｇｈｔ（Ｌ７）を右バイアスとする手段で両７線下を空白に左〜右すると一目で分りやすいバイアスの布裁断無駄遣いを逆利用。
【課題を解決するための手段】
【０００４】本発明の発明者は、縦横９０度で織られた正方形布地でバイアス斜地部は一枚から左〜右布は取れない様に例えば長パンツは前身２枚裁断した布地が通常の裁断方法とされていたので、布地の立体形、山形とか谷形部は出来なかったのは、通常の布地で張力布地は自力のバイアス反発は左バイアスと右バイアスでしかも一枚の布地では重なり合うので片方バイアスしか裁断出来ないと思われて来たが、本発明者は前身中心線での小股部が突き出し重なり部分で、１枚布断が不可能に気付いた時、新インスプレーションがひらめいた。つまり重なり部分が必要布地分量を逆転の発想、重なり部分の不足を逆の方法でダーツを取って前身頃中心の下小股部を何度も何度も実験試作してついに図１〜図６までＫｎｉｔ布地も布帛布地でも１枚布地でも完成出来上った長（ｌｏｎｇＰａｎｔｓ）パンツさらに短いブリーフパンツはＫｎｉｔＷｈｅｅ編地図４（ａ）〜（ｃ）の輪編１枚布（写真）図完成し、さらに布帛布地ブリーフは前身右バイアス後身左バイアス交差裁断で、ストレッチ出来る布帛ブリーフ、図６（ｆ）完成図である。又図２〜３は型紙を縮小した現実的製図でも有る。特許技術はＵ．Ｓ．６８００１５９Ｂ２号と特願２０００−４００１２０号に開示されている正方形の左バイヤス布と次の正方形（反対側）右バイヤス交差で発生するストレッチ出来る布地体のブリーフ図６（ｆ）で証明された、２枚バイヤス断ブリーフ１枚右バイアスチェック地ともう１枚左バイヤスチェック布地（写真）で２枚布裁断布地（シート布地）
【発明を実施するための最良の形態】
【０００５】図１（ａ）〜（ｈ）本発明の実施の形態は米国特許６８００１５９Ｂ２号の特願２０００−４００１２０号本発明者の基本の原理、ストレッチ出来る物理は左バイアス布と右バイアス布衝突＝Ｓｔｒｅｔｃｈａｂｌｅ  ＣＬＯＴＨＳで糸のＳｔｒｅｔｃｈａｂｌｅ  ｆｉｂｒｅ（物理）＝Ｓ型糸と逆Ｓ型糸の衝突（ｒａｓｈＥｎｅｒｇｉｅ本発見者が開示図１〜（ｄ）を図に基づいて説明する。図１〜（ｄ）は普通糸の右バイアス（Ｌ７）で図１〜（ｃ）は横織糸高分子センイで（２Ａ）左バイアス（Ｒ７）であり次に普通センイ又は高分子センイも左伸張Ｓ型で、右伸張が逆Ｓ字型ストレッチ出来るセンイ粒子体（本発明者発見）
2008150765.tif 000003
で本発明の３Ｄ（立体）ストレッチ体を発明した。【０００６】図２（ａ）〜（ｅ）はＫｎｉｔ編地又は布帛織地第センイのストレッチ粒子体のストレッチエネルギーを図１（ｇ）〜（ｈ）左エネルギーＳ体で、右エネルギー逆Ｓ体を図２（ａ）のパンツ前身９の中央部ダーツ完成部ｘ左〜右布センイ布体はバイアス衝突エネルギー体に形成してから前身下部にＭ字体に布カット裁断する次に図２（ｂ）〜（ｄ）は後身下部と前身下部を合体する方法で後身１０のパンツ下部に引伸ばし部１０′を短かめ布地を形成して、次に前身９と後身１０は下部９′〜１０′は合体はＭ字形縫合され部ｘ＝第２のセンイ衝突エネルギが発生するとＭ字形縫い合せ部ｘ…は谷凹部が出来て、前身頃９の中央に山凸部が自動的発生１３部が形成される原理は３０立体ストレッチ張力効果である。【０００７】図３（ａ）…丸）はＫｎｉｔ丸編地１枚布「丸１１」で裁断したパンツ（短）で立体部作製は後身１０の下部１０′は引伸ばし部図３（ｂ）〜は、普通布（すべて）「１枚布１２でロングパンツ」を裁断したので縫い目を最も少なくして、しかも立体形３Ｄパンツが製造出来る最高の裁断図でロングパンツは中央は本来加えるべき小股部は失われた布地１３部が「Ｗ形部とＶ形部」が１３形成が重要なロングパンツを１枚布製造を可能とした股下中央ノッチ前１６と後側１６′で合致で長パンツ完成。【０００８】図４（ａ）〜（ｆ）は本発明のブリーフパンツはこのように、パンツ布地が立体的縫製で出来上る方法で前身９１枚布に立体形凸部１３はまず第１ダーツｘ＝左バイアスＬ８と右バイアスＲ８が合体ダーツが始まりでその両側渕に２ヶダーツＭ形１２が縫製されると自動的に山形凸部１３が出来上る事が本発明の中心的理論である図４（ａ）〜（ｃ）はシームレス編布（輪編）の男女用ブリーフで図４（ｄ）〜（ｅ）は前開き用パンツで図４（ｆ）パンツは、左と右バイアス布の前身と後身バイアス交差布地。【０００９】図５（ａ）〜（ｃ）は本発明の１枚布地でロングパンツを立体的に製造する方法であって、前側９と後側９は１枚ので繋がっている事が特長でしかも立体的にストレッチ出来るパンツは後側尻部に前側下腹も１枚で繋がっているので裁断も縫製も関単でしかもストレッチ性も立体的機能が優れている後縫い合せ１５尻部の股下は前身１６と後側１６で合致ですべて１枚布ロングパンツ、寝まき、Ｇパンツ、モモ引、ズボン下も１枚布で完成する。【００１０】図６（ａ）〜（ｆ）は本発明のシート及自動車用布地シートをストレッチ出来る方法で立体形に皴の出さい張力（中古車になっても）機能を有する凸部と１３谷部１２を形成をピーンと張り込み常態バイアス谷部底左バイアスＲ８と右バイアスＬ８で形成した形態が出来る、さらにＹ字形でストレッチ出来る方法は特開２００６−２２５８３０号図７の単Ｖダーツをもっと美しく形成する方法でバイアス布地の縫合せ後のＶダーツにさらに左バイアス左角にもＶダーツ１７ともう一方の右バイアス右角にもＶダーツ１８を形成すると３ヶダーツ方式でダイムラークライスラー社ベンツのシートのＹ字型の皴を取れないか？と依頼発明〔図７〕よりもさらに皴が発生しない方法で、この方法で皴が出やすい皮布の自動車シートは中古になっても皮皴が起さない座席の背中（背もたれ）の凹部が本裁断Ｔ字型が出来上り（縫い合せ）でＹ字型２１にスレチャブルクロス変形で完成する左バイアス布部と右バイアス布部をダーツカット（裁断）して縫い合せストレッチ支持部材として次に主布地は縦布地２０又は横布地１９に向って引伸し（カット分量３ヶ所）て無理矢理縫い付けるとＹ字型ストレッチ出来る自動車シート製造方法。
【実施例】
【００１１】（実施例１）図１〜図２
本発明の裁断方法で左バイアス部カット部と右バイアス部カット部でＶ字逆形Ｖカットを形成して第１縫い合せ部をパンツ前身下キングセならぬキン取り逆Ｖカット縫い合せ中央にＭ形２ヶ所ダーツを形成で中央両脇ダーツにパンツ後身の水平線を両方に引き伸ばしてＭ形前身頃を無理矢理に縫い合せると、ポッコリと美しいキン山が平にしても立ち上る布体。図２（ｅ）１３が出来上る、凸形Ｓｔｒｅｔｃｈａｂｌｅ  ＣＬＯＴＨＳ。【００１２】〔実施例２）図３〜図４
本発明のＫｎｉｔ輪編シームレス  ブリーフの製造法【００１３】〔実施例３）図３〜図５
本発明のニットや布帛布地、皮、第あらゆる布地で１〜２枚布地でパンツ（ロング）を裁断もしカットで出来る製造法は股下１６は直線でジィンズパンツ用ジインズ布地がシングル巾の場合ｘダーツ上で直線切変え縫は前立とダーツと同時に縫い合せで２枚布の１カット。【００１４】（実施例４）図６
本発明で自動車シートをストレッチ出来る布地の製造法でさらに立体形凸形山部と立体形凹部を形成出来る自動車シート布地の立体Ｓｔｒｅｔｃｈａｂｌｅ  ＣＬＴＨＳの製造方法。
【発明の効果】
【００１５】本発明の裁断方法によれば、布帛布地、Ｋｎｉｔ編地ポリウレタン高分子センイ、皮、プラスチック地の張力を有効利用に左バイアスのセンイＳ形と右バイアスのセンイ逆Ｓ形がダーツ縫い合せで反発で山形凸部を明かにする方法で第１ダーツを縫い合せてから、その山形の山の裾の両脇にＭ形のＷダーツで出来た１３凸部は、第２縫製で出来るとひっぱったり伸ばしたりしても元の凸に戻る、さらに本発明は１枚の布地輪（Ｋｎｉｔ）や布帛布地、第１枚布でロングパンツもパーツ無しでも出来る（男前立部尻部マチ部は例外）、ので縫製部を最小限にして、しかも凸部凹部を有する、復元力を有する布地が可能となる。
【図面の簡単な説明】
【００１６】
【図１】（ａ）〜（ｅ）は本発明の第１の左バイアスと右バイアスの糸と布地の手順を模式的に説明する説明図である。
【図２】（ａ）〜（ｅ）は本発明の第１の左バイアスと右バイアスの糸を布地にして裁断と縫製方法の手順を模式的に示す説明図である。
【図３】（ａ）〜（ｂ）は本発明の第１の図１〜図２のバイアス部を利用した１枚輪布（Ｋｎｉｔ）とその布地又は平面布を１枚布地での裁断方法の手順を模式的に示す説明図である。
【図４】（ａ）〜（９）は本発明の第１の実施例の裁断手順を方法で縫製さらたブリーフの正面図と背面図と底面図と１部裁断図の手順を示す説明図である。
【図５】（ａ）〜（ｃ）は本発明の第１の方法で図３（ｂ）のロングパンツの裁断で縫製された、Ｗダーツの縫製手順を模式的に説明する説明図である。
【図６】（ａ）〜（９）は本発明の第１の方法と第２の方法を自動車シートで左バイアスと右バイアスにＷダーツ裁断方法によって凸部凹部製造方法の手順を示す説明図である。
【符号の説明】
【００１７】Ｒ１・・・・左ｌｅｆｔバイアス用センイ（ポリウレタン高分子センイ）縦糸
Ｌ１・・・・右ｒｉｇｈｔバイアス用センイ（ポリウレタン高分子センイ）縦糸
Ｒ２・・・・左ｌｅｆｔバイアス用センイ（ポリウレタン高分子センイ）横糸
Ｌ２・・・・右ｒｉｇｈｔバイアス用センイ（ポリウレタン高分子センイ）横糸
Ｒ３・・・・左ｌｅｆｔバイアス用正方形部右側角部Ｒ３〜Ｒ５
Ｌ３・・・・右ｒｉｇｈｔバイアス用正方形部右側角部Ｌ３
Ｌ４・・・・右ｒｉｇｈｔバイアス用正方形部左側下角部Ｌ４
Ｒ５・・・・左ｌｅｆｔバイアス用正方形部右側下角部Ｒ５
Ｒ６・・・・左ｌｅｆｔバイアス用正方形部左側角部Ｒ６
Ｌ６・・・・右ｒｉｇｈｔバイアス用正方形部左側角部Ｌ６
Ｒ７・・・・左ｌｅｆｔバイアス用正方形部切断線Ｒ７左方向
Ｌ７・・・・右ｒｉｇｈｔバイアス用正方形部切断線Ｌ７右方向
Ｓ・・・・高分子センイ（又は普通糸）ストレッチ出来る左Ｓ方向
逆Ｓ・・・・高分子センイ（又は普通糸）ストレッチ出来る逆Ｓ方向
Ｒ８・・・・左ｌｅｆｔバイアス用正方形からダーツ用削除空間Ｒ８
Ｌ８・・・・右ｒｉｇｈｔバイアス用正方形からダーツ用削除空間Ｌ８
９・・・・主布地は前身又は引力にさからう側（非伸縮性側）
１０・・・・支持部材は後身又は伸張引力側（伸縮性伸張側布
１０′・・・支持部材の伸張仕掛け部（伸ばす布部）
ｘ・・・・左ｌｅｆｔＲ８とＬ８のダーツ用削除部Ｒ〜Ｌ７縫い合せ部
１１・・・・Ｗダーツの一部左側ダーツ前身中央部左１１
１１′・・・Ｗダーツの一部右側ダーツ前身中央部右１１′
１２・・・・縫い合せたＷダーツがＭ形に変形出来上りＭ縫
１３・・・・Ｍ形縫い上りで出来た立体形ストレッチ出来る山凸部
０・・・・編地（Ｋｎｉｔ）輪筒丸編地のパンツ用布地１枚布
０′・・・・布地裁断布平面織地のパンツ用布地１枚布
１４・・・・パンツ男物用前開き部
Ｍ・・・・Ｍ形Ｗダーツ部前身（主布地）９の下部
１５・・・・パンツ後身尻部縫い合せ部（左部右部
１６・・・・パンツ股下              （左部右部
１７・・・・自動車シートストレッチ側カットする左バイヤス（支持布地）
１８・・・・自動車シートストレッチ側カットする右バイヤス（支持布地）
１９・・・・自動車シート用非伸縮側主布地横織地
２０・・・・自動車シート用非伸縮側主布地縦織地
２１・・・・自動車シート用ストレッチ側と非伸縮布合体Ｙ字布
Ｚ・・・・長パンツの裁断部スペース形空白部を立体形利用する裁断スペース
【図１】
2008150765.tif 000004
【図２】
2008150765.tif 000005
【図３】
2008150765.tif 000006
【図４】
2008150765.tif 000007
【図５】
2008150765.tif 000008
【図６】
2008150765.tif 000009